(57)【要約】【課題】相互に相対的に移動可能な内包部と外包部とを含む包装が提供される。【解決手段】内包部は、利用者が閉位置から開位置に移動させることができる。この移動に抵抗を与えるロック要素と係合部とを設け、それによって包装が偶発的に開くのを防ぐ。さらに、ロック要素は、閉位置および開位置の一方または両方で受け止められたときに、音を発する。  【選択図】図１Ａ、図１Ｂ
2015533741.tif 000002
【特許請求の範囲】
【請求項１】
外包部と、前記外包部の内部に配置されて前記外包部に対して第１位置と第２位置との間で移動可能な内包部と、ロック要素と係合部とを備えた少なくとも１つのロック機構とを含む包装であって、
前記ロック要素が、前記内包部から突出し、
前記係合部が、前記内包部に対向する外包部の内面から膨出し、
前記ロック要素と係合部とが、前記内包部が前記第１位置と第２位置との間で移動することで、前記ロック要素と係合部とが前記係合部の第１縁部で係合し、その後、前記ロック要素と係合部とが前記係合部の第２縁部で係合解除するように配置されている包装。
【請求項２】
前記ロック要素が、前記第１位置および第２位置の一方または両方で前記外包部によって隠されている請求項１に記載の包装。
【請求項３】
前記ロック要素と係合部とが、前記ロック要素と係合要素との少なくとも係合解除により音を生成するように構成されている請求項１または請求項２に記載の包装。
【請求項４】
前記ロック要素が、前記係合部から弾性的に解放されることによって、音が生成される請求項３に記載の包装。
【請求項５】
前記係合部が、前記外包部の内面の上に折りたたまれて該内面に隆起部を形成する少なくとも１つの係合フラップを含み、前記係合部の第１縁部が、前記係合フラップの折り目によって形成され、前記係合部の第２縁部が、前記係合フラップの遠端によって形成されている請求項１乃至請求項４のいずれか一項に記載の包装。
【請求項６】
前記係合フラップの遠端に隣接する型押し領域をさらに備えている請求項５に記載の包装。
【請求項７】
前記ロック要素が、該ロック要素の遠端が前記内包部から突出するように前記内包部の角部から切り出された請求項１乃至請求項６のいずれか一項に記載の包装。
【請求項８】
第２のロック機構をさらに含み、第１の前記ロック機構と第２のロック機構とが、前記包装の正中面に対して該包装の対向する側にそれぞれ設けられている請求項１乃至請求項７のいずれか一項に記載の包装。
【請求項９】
前記内包部および外包部の対向する面に設けられた第１抑制要素と第２抑制要素とを備えた抑制機構をさらに含み、前記第１抑制要素と第２抑制要素の係合によって前記外包部に対する内包部の移動を制限する請求項１乃至請求項８のいずれか一項に記載の包装。
【請求項１０】
前記外包部が、利用者が前記内包部を押すかまたは引いて前記外包部に対する前記内包部の移動を開始することができる開口部または凹部を少なくとも１つ備えている請求項１乃至請求項９のいずれか一項に記載の包装。
【請求項１１】
前記内包部が閉位置にあるときの前記包装の長手方向の縁部が湾曲形状をしている請求項１乃至請求項１０のいずれか一項に記載の包装。
【請求項１２】
請求項１乃至請求項１１のいずれか一項に記載の内包部を形成するためのブランク。
【請求項１３】
請求項１乃至請求項１１のいずれか一項に記載の外包部を形成するためのブランク。
【請求項１４】
請求項１乃至請求項１３のいずれか一項に記載の包装を形成する方法であって、
請求項１２に記載のブランクを折りたたむことによって内包部を形成するステップと、
請求項１３に記載のブランクを折りたたむことによって、前記包装が完成したときに前記内包部が前記第１位置にあるように前記内包部の周囲に外包部を形成するステップと
を含む方法。
【発明の詳細な説明】
【技術分野】
【０００１】
本発明は、全体として、特に、タバコ製品の包装の分野に関する。
より詳細には、本発明は、新しいタイプのシガレット包装と、そのような包装の製造で使用されるブランクに関する。
【背景技術】
【０００２】
包装の人間工学的かつ実用的な設計を改良することは常に求められている。
そのような要望が大きい領域の１つに、シガレット包装等のタバコ製品の包装がある。
【０００３】
シガレット包装では、さまざまな難しい要件を満たす必要がある。
具体的には、シガレット包装は安価で大量生産に対応しているだけでなく、シガレットを保護し、シガレットを新鮮に保ち、何度も開いたり閉じたりしても壊れないだけの十分な堅牢性を備えていなければならない。
【０００４】
今日最も一般的なシガレット包装の設計は、ヒンジ式の蓋が付いたパックとして分類できるであろう。
この設計では、厚紙製のパックの上端に、ヒンジ式の蓋を一体に形成している。
シガレットは、蓋が開いたときに利用者がシガレットの端部を持って取り出せるように、長手方向に配置される。
【０００５】
もちろん、ヒンジ式の蓋は、利用者が積極的に操作しない限り開かないことが望ましい。
ある設計では、蓋が閉位置と開位置との間で動くのを抑えるために、留め輪またはスリーブを設け、その上を蓋が通るようにしている。
スリーブは、蓋が開く（または閉じる）ときに蓋とスリーブとの間に摩擦成分が生じ、その摩擦成分を克服しなければ、蓋がそれ以上動かないように設計されている。
【０００６】
別の設計では、ロック要素が追加または代替で使用されている。
たとえば、ロック要素は、蓋が開くときにロック要素が蓋の係合部に係合するような態様で、パックに設けられている。
ロック要素の係合により、生成される抵抗力を利用者が克服しない限り、動きを妨げることができる。
【０００７】
上述した解決策やその他の解決策は、蓋付きパックにおいて、ある程度成功しているが、他の設計思想には適していない。
たとえば、摺動式または搖動式の開閉機構を備えたシガレット包装を提供することが提案されている。
そのようなアプローチでは、シガレットを保持する内包部が外包部の中に設けられている。
閉位置では、内包部の開口部が外包部によって覆われるが、内包部を外包部に対して動かして開位置にすることで、内包部に格納されたシガレットにアクセスすることが可能となる。
【０００８】
摺動式の配置では、内包部が線形動作で外包部に対して移動する。
一方、搖動式の配置では、内包部が少なくとも何らかの回転を含む動作により、外包部に対して移動する。
これらの配置、およびその他の配置では、内包部と外包部との相対的な移動を何らかのかたちで制御して、包装が意図せず開くのを防ぐことが常に求められている。
【発明の概要】
【０００９】
本発明の第１態様によると、外包部と、外包部の内部に配置され、外包部に対して第１位置と第２位置との間で移動可能な内包部と、ロック要素と係合部とを備えた少なくとも１つのロック機構とを含む包装であって、ロック要素が内包部から突出し、係合部が内包部に対向する外包部の内面から膨出し、ロック要素と係合部とが、内包部が第１位置と第２位置との間で移動することでロック要素と係合部とが係合部の第１縁部で係合し、その後、ロック要素と係合部とが係合部の第２縁部で係合解除するように配置されている包装が提供される。
【００１０】
本発明は、外包部に対する内包部の自発的な移動を防ぐ包装を提供することができる。
ロック要素は、係合部を通過するときに、係合部と係合し、その後、係合解除する。
係合部に第１縁部で係合し、第２縁部で係合解除するまでの間、ロック要素は、係合部の表面を移動する。
このロック要素の係合により、外包部に対する内包部の移動に抗する抵抗が生じる。
また、ロック要素は、位置間を移動するときに係合解除するため、逆方向の移動でもロック要素が再係合する。
これにより、両方向での移動を抑制することができる。
第１位置と第２位置とは、たとえば、包装の中身にアクセスできない閉位置と、利用者が包装の中身にアクセスできる開位置である。
【００１１】
好ましい実施形態では、ロック要素は、第１位置および第２位置の一方または両方で、外包部によって隠される。
ロック要素は、第１位置および第２位置の両方で、外包部によって隠されるのが好ましい。
この態様では、ロック要素の動作は、利用者から見えない。
これにより、ロック要素によって提供される驚きの効果が増大する。
【００１２】
好ましい実施形態では、ロック要素と係合部とが、ロック要素と係合部との少なくとも係合解除により音を生成するように構成されている。
この音は、利用者が聞き取り可能な音であることが好ましい。
ロック要素は、内包部が第１位置に到達したとき、および／または内包部が第２位置に到達したときに、音を生成するように配置されているのが好ましい。
こうすることで、内包部が所望の位置に到達したことを利用者に知らせることができる。
これにより、内包部が閉位置に到達したときに音が生成される場合に、包装の動作の信頼性を高めることができる。
【００１３】
音は、ロック要素が係合部から弾性的に解放されることで生成されるのが好ましい。
たとえば、ロック要素は、係合部との係合から解放されたときに、外包部のいずれかの面に当たることによって音を生成するように配置されている。
詳細には、ロック要素が対向する面に対して付勢され、第１および／または第２の係合部がその面の隆起領域を含む。
これにより、ロック要素は、そのような隆起領域の縁部を通過する際に、解放されて面に当たる。
【００１４】
好ましい実施形態では、係合部は、外包部の内面の上に折りたたまれてその内面に隆起部を形成する少なくとも１つの係合フラップを含み、係合部の第１縁部が、係合フラップの折り目によって形成され、係合部の第２縁部が、係合フラップの遠端によって形成されている。
これにより、係合部が効率的に形成され、係合部を外包部の他の部分と一体に形成することが可能となる。
好ましい実施形態では、係合フラップの遠端に隣接する型押し領域が設けられている。
これにより、係合部をより明確に規定する窪みが形成されている。
【００１５】
ロック要素は、そのロック要素の遠端が内包部から突出するように、内包部の角部から切り出されていることが好ましい。
この方法により、ロック要素は、内包部から比較的単純に形成され、かつ、内包部と外包部との間の間隙に突出することが可能となる。
【００１６】
包装は、第２のロック機構をさらに含み、第１のロック機構が包装の第１の側に設けられ、第２のロック機構が包装の第２の側に設けられているのが好ましい。
特に好ましい実施形態では、包装の第１の側と第２の側とは、対向する側である。
【００１７】
包装の第１の側と第２の側とは、包装の上方側と下方側とであるか、または包装の前方側と後方側とであり得る。
実際には、包装の対向する側にロック要素を設けることで、包装の内包部および外包部の互いに対する安定性が向上する。
好ましい実施形態では、包装の複数の側にロック機構を設けることで、本発明のロック効果を向上させることができる。
第２のロック機構は、第１のロック機構と同じ特徴を備えていることが好ましく、類似する態様で動作する。
【００１８】
第１のロック機構は、包装の第１の側の中心から第１方向にオフセットし、第２のロック機構は、包装の第２の側の中心から第１方向とは反対の第２方向にオフセットしているのが好ましい。
特に好ましい実施形態では、第１のロック機構のオフセットと第２のロック機構のオフセットとは、大きさが等価である。
よって、好ましい実施形態では、ロック機構の動作の全体的なバランスを保ちつつ、他の目的の要求に応じてロック機構を包装の中心から離れて配置することができる。
【００１９】
本発明は、外包部に対する内包部の移動を制限するように配置された抑制機構をさらに含むのが好ましい。
詳細には、抑制機構は、たとえば、内包部が第１位置および／または第２位置を越えて移動するのを防ぐ。
【００２０】
好ましい実施形態では、抑制機構は、内包部および外包部の対向する面に設けられた第１抑制要素と第２抑制要素とを備え、第１抑制要素と第２抑制要素の係合によって外包部に対する内包部の移動を制限する。
【００２１】
第１抑制要素が抑制タブであり、第２抑制要素が第２抑制要素と内包部または外包部の面との間で抑制タブを受け止めるように配置されているのが好ましい。
第２抑制要素は、たとえば、外包部または内包部の面から内側に折りたたまれた抑制フラップを含み、または抑制タブが抑制要素と内包部または外包部の面との間の位置に侵入することを可能にする抑制部を含む。
【００２２】
好ましい実施形態では、外包部は、利用者が内包部を押すかまたは引いて外包部に対する内包部の移動を開始することができる開口部または凹部を少なくとも１つ備えている。
これにより、利用者が包装を簡単に開き、および／または閉じることが可能となる。
【００２３】
内包部が閉位置にあるときの包装の長手方向の縁部は、湾曲形状をしているのが好ましい。
これにより、魅力的な構成が利用者に与えられ、特に、利用者が包装を手にしたときの心地良さが向上する。
さらに、包装の角が尖っている場合と異なり、利用者のポケットやかばんなど、包装を運ぶ容器に損傷を与える危険性を軽減することができる。
【００２４】
好ましい実施形態では、内包部および外包部の相対的な移動は、ロック機構が提供されている対向する面と実質的に平行に発生する。
詳細には、内包部の第１位置から第２位置への移動は、線形動作を含む可能性がある。
代替または追加で、内包部の第１位置から第２位置への移動は、回転動作を含む可能性がある。
【００２５】
少なくとも１つの係合部が外包部に設けられるのが好ましい。
同様に、好ましい実施形態では、少なくとも１つのロック要素が内包部に設けられている。
この配置により、ロック要素と係合部との効果的かつ信頼性の高い係合が実現される。
【００２６】
好ましい実施形態では、内包部は、内包部内の製品にアクセスできるようにするために、少なくとも１つの開口部を上面に有する。この開口部は、内包部が第１位置にあるときに、外包部によって隠される。
よって、第１位置は、製品にアクセスすることができない閉位置である。
第２位置、すなわち、開位置では、外包部は開口部を隠さない。
より一般的には、開口部は、内包部の中身へのアクセスを提供することが望まれる任意の面に配置することができる。
【００２７】
内包部の開口部は、内包部の少なくとも１つの側まで延長しているのが好ましい。
この配置により、利用者が内包部内の製品にアクセスするのがさらに容易になる。
【００２８】
好ましい実施形態では、内包部および外包部は、紙、厚紙、プラスチック材料、またはそれらの組み合わせでできた単一の折りたたみ可能なブランクからそれぞれ得られる。
実際、本発明は、内包部および外包部の製造で使用するブランクをさらに含む。
さらに、本発明は、そのようなブランクから内包部または外包部を形成することを含む。
【００２９】
本発明の好ましい実施形態について、添付の図面を参照しながら、あくまでも例として説明する。
【図面の簡単な説明】
【００３０】
【図１Ａ】閉位置にある本発明の第１実施形態を示す図である。
【図１Ｂ】開位置にある第１実施形態を示す図である。
【図２Ａ】第１実施形態の外包部の前面図である。
【図２Ｂ】第１実施形態の外包部の背面図である。
【図３】第１実施形態の外包部の製造で使用するブランクを示す図である。
【図４Ａ】第１実施形態の内包部の前面図である。
【図４Ｂ】第１実施形態の内包部の背面図である。
【図５】第１実施形態の内包部の製造で使用するブランクを示す図である。
【図６Ａ】閉状態にあるときの内包部の外包部内での位置を示す前面図である。
【図６Ｂ】内包部を閉位置から開位置に向けて移動する際の中間位置にあるときの内包部の外包部内での位置を示す前面図である。
【図６Ｃ】開状態にあるときの内包部の外包部内での位置を示す前面図である。
【図６Ｄ】内包部を開位置から閉位置に向けて移動する際の中間位置にあるときの内包部の外包部内での位置を示す前面図である。
【図７Ａ】内包部が閉位置にあるときの第１実施形態の上方から見た断面図である。
【図７Ｂ】内包部が開位置にあるときの第１実施形態の上方から見た断面図である。
【図８】閉位置にある本発明の第２実施形態を示す図である。
【図９】開位置にある本発明の第２実施形態を示す図である。
【図１０】第２実施形態の外包部の前面図である。
【図１１】第２実施形態の外包部の製造で使用するブランクを示す図である。
【図１２】第２実施形態の内包部の前面図である。
【図１３】第２実施形態の内包部の製造で使用するブランクを示す図である。
【図１４Ａ】閉状態にあるときの内包部の外包部内での位置を示す前面図である。
【図１４Ｂ】開状態にあるときの内包部の外包部内での位置を示す前面図である。
【発明を実施するための形態】
【００３１】
図１Ａおよび図１Ｂを参照すると、本発明の第１実施形態である包装１が示されている。
この包装１は、外包部１００と、内包部１５０とを含む。
内包部１５０は、外包部１００に対して移動可能であり、詳細には、図１Ａに示された第１位置である閉位置と、図１Ｂに示された第２位置である開位置との間を摺動可能である。
【００３２】
利用者は、外包部１００の開口部１１１を通じて露出している内包部１５０の一部を親指またはその他の指で押すことにより、内包部１５０を摺動させることができる。
図１Ｂを見てわかるように、内包部１５０は、シガレット１７０を露出させる開口部１１１を内包部１５０に形成するために除去することができる分離条片１５２を含む。
【００３３】
外包部１００および内包部１５０は、パックが閉位置または開位置になるときに聞き取り可能な音を発するような態様で、相互に連結されている。
さらに、内包部１５０を開位置および閉位置で維持するための一定の抵抗が提供される。
この態様で、外包部１００が内包部１５０に対して偶発的に移動するのを防ぐことができる。
これらの効果を生み出す機構は、図２Ａ乃至図５を参照することで理解することができる。
この機構について、以下に詳細に説明する。
【００３４】
図２Ａ、図２Ｂ、および図３は、外包部１００を示す。
外包部１００は、図３に示す厚紙製のブランクを折りたたむことにより形成される。
図２Ａは、外包部１００の前面図であり、図２Ｂは、外包部１００の背面図である。
【００３５】
外包部１００は、外包部１００が形成されたときに相互に対向する前面１０１ａと背面１０１ｂとを含む。
前面１０１ａと背面１０１ｂは、側面１０５によって連結されている。
側面１０５には、開口部１１１が形成される。
さらに、前方強化フラップ１０６ａおよび後方強化フラップ１０６ｂが、それぞれ開口部１１１の前方および後方に形成されている。
図２Ａおよび図２Ｂに示されているように、外包部１００を形成するときに、強化フラップ１０６ａおよび１０６ｂが内側に折り曲げられ、外包部１００の前面１０１ａおよび背面１０１ｂの内側に接着される。
【００３６】
外包部１００の上面は、前方上面部１０２ａと、後方上面部１０２ｂと、側方上面部１０２ｃとで形成されている。
外包部１００を形成するときに、後方上面部１０２ｂおよび側方上面図１０２ｃが、前方上面部１０２ａの下側に接着される。
同様に、外包部１００の底面は、前方底面部１０３ａと、後方底面部１０３ｂと、側方底面部１０３ｃとで形成されている。
外包部１００を形成するときに、後方底面部１０３ｂおよび側方底面図１０３ｃが、前方底面部１０３ａの上側に接着される。
【００３７】
外包部１００は、前面１０１ａおよび背面１０１ｂからそれぞれ延長した前方抑制フラップ１０７ａと後方抑制フラップ１０７ｂとをさらに含む。
さらに、前方係合フラップ１８０ａと後方係合フラップ１０８ｂとが、前方抑制フラップ１０７ａおよび後方抑制フラップ１０７ｂからそれぞれ延長する。
【００３８】
外包部１００を形成するときに、前方抑制フラップ１０７ａおよび後方抑制フラップ１０７ｂが内側に折り曲げられ、係合フラップ１０８ａ、１０８ｂが抑制フラップ１０７ａ、１０７ｂの上に折り返される。
これを図２Ａおよび図２Ｂに示す。
結果として、係合フラップ１０８ａ、１０８ｂは、以下に詳しく説明するように、係合部として機能する隆起プラットフォームを外包部の内面に形成する。
【００３９】
係合フラップ１０８ａ、１０８ｂは、図２Ａおよび図２Ｂに示す位置で抑制フラップ１０７ａ、１０７ｂに接着されるのが好ましい。
同様に、係合フラップ１０８ａ、１０８ｂの下方に位置する抑制フラップ１０７ａ、１０７ｂは、外包部１００の前面１０１ａおよび背面１０１ｂに接着されるのが好ましい。
ただし、この接着は、抑制フラップ１０７ａ、１０７ｂの全体に及ぶのではなく、係合フラップ１０８ａ、１０８ｂから離れた領域で、前方抑制フラップ１０７ａと前面１０１ａの間、および後方抑制フラップ１０７ｂと背面１０１ｂとの間に、物が入り込めるようになされるのが好ましい。
【００４０】
さらに、前方抑制フラップ１０７ａおよび後方抑制フラップ１０７ｂは、第１型押し領域１０９ａと第２型押し領域１０９ｂとをそれぞれ備えている。
型押し領域１０９ａ、１０９ｂは、抑制フラップ１０７ａ、１０７ｂに窪みを形成し、係合フラップ１０８ａ、１０８ｂが図２Ａおよび図２Ｂに示されるように折り返されたときに係合フラップ１０８ａ、１０８ｂの遠端に隣接するように配置されている。
【００４１】
図４Ａ、図４Ｂ、および図５は、内包部１５０を示す。
内包部１５０は、図５に示す厚紙製のブランクを折りたたむことによって形成されている。
図４Ａは、内包部１５０の前方の側面図であり、図４Ｂは、内包部１５０の後方の側面図である。
【００４２】
内包部１５０は、内包部１５０が形成されたときに相互に対向する前面１５１ａと背面１５１ｂとを有している。
前面１５１ａと背面１５１ｂは、底面１５６によって連結されている。
第１側面は、前方第１側面フラップ１５４ａと後方第１側面フラップ１５４ｂとで形成され、第２側面は、前方第２側面フラップ１５５ａと後方第２側面フラップ１５５ｂとで形成されている。
後方側面フラップ１５４ｂ、１５５ｂが前方側面フラップ１５４ａ、１５５ａの内面に接着されて、内包部１５０の前方側および後方側が形成されている。
【００４３】
底面フラップ１５７は、後方第１側面フラップ１５４ｂおよび後方第２側面フラップ１５５ｂに連結されている。
内包部１５０を形成するとき、底面フラップは、底面１５６の上面に接着される。
【００４４】
内包部の上面は、後方上面フラップ１５３ｂと、前方上面フラップ１５３ａと、後方分離条片フラップ１５２ｂと、前方分離条片フラップ１５２ａとで形成されている。
前方上面フラップ１５３ａおよび後方上面フラップ１５３ｂは、相互に接着されて、内包部１５０の上面の永続部を形成する。
前方分離条片フラップ１５２ａおよび後方分離条片フラップ１５２ｂは、相互に接着されて、図１Ｂに示す分離条片１５２を形成する。
前方分離条片フラップおよび後方分離条片フラップは、ミシン目によって内包部１５０のその他の部分に連結され、利用者が所望のときに分離条片１５２を除去できるようになっている。
【００４５】
内包部は、前方ロック要素１６１ａと後方ロック要素１６１ｂとをさらに含む。
前方ロック要素１６１ａおよび後方ロック要素１６１ｂは、前面１５１ａと第２側面との間の連接部分に位置する切り欠き部１６０ａ、および背面１５１ｂと第２側面との間の連接部分に位置する切り欠き部１６０ｂにそれぞれ設けられている。
内包部１５０を形成するとき、前方ロック要素１６１ａおよび後方ロック要素１６１ｂは、前面１５１ａおよび背面１５１ｂを越えて突出する。
前方ロック要素が前面１５１ａの上部に設けられ、後方ロック要素１６１ｂが背面１５１ｂの下部に設けられていることに注目されたい。
より一般的には、前方ロック要素１６１ａおよび後方ロック要素１６１ｂは、前面１５１ａおよび背面１５１ｂの異なる領域に設けられるのが好ましく、詳細には、底面１５６と前面１５１ａおよび背面１５１ｂの対向する端部との間で、前面１５１ａおよび背面１５１ｂの中心から反対方向にオフセットしている。
【００４６】
さらに、内包部は、前方抑制タブ１５９ａと、後方抑制タブ１５９ｂとを含む。
前方抑制タブ１５９ａおよび後方抑制タブ１５９ｂは、前面１５１ａの切り欠き部１５８ａおよび背面１５１ｂの切り欠き部１５８ｂにそれぞれ設けられる。
前方抑制タブ１５９ａが前面１５１ａの下部に設けられ、後方抑制タブ１５９ｂが背面１５１ｂの上部に設けられていることに注目されたい。
より詳細には、前方抑制タブ１５９ａおよび後方抑制タブ１５９ｂは、前面１５１ａおよび背面１５１ｂの異なる領域に設けられるのが好ましく、詳細には、底面１５６と前面１５１ａおよび背面１５１ｂの対向する端部との間で、前面１５１ａおよび背面１５１ｂの中心から反対方向にオフセットしている。
【００４７】
包装１の動作は、閉位置および開位置の間で移動するときの内包部１５０の外包部１００に対する位置を前面図で示した図６Ａ乃至図６Ｄと、図６Ａおよび図６ＣのＡ−Ａ線で見た断面図を示す図７Ａおよび図７Ｂとを参照して理解することができる。
図６Ａ乃至図６Ｄで、外包部１００の不可視の特徴は破線で示されており、内包部１５０の不可視の特徴は点線で示されている。
【００４８】
図６Ａおよび図７Ａは、外包部１００に対して閉位置にあるときの内包部１５０を示す。
この位置で、ロック要素１６１ａ、１６１ｂは、図７Ａに最もよく示されているように、係合フラップ１０８ａ、１０８ｂから離れている。
ロック要素１６１ａ、１６１ｂは、内包部１５０の前面１５１ａおよび背面１５１ｂから垂直に外側に突出し、それによって、内包部１５０と外包部１００との間の間隙を占める。
【００４９】
利用者が、内包部１５０を図６Ａおよび図７Ａに示す閉位置から移動すると、ロック要素１６１ａ、１６１ｂは、係合フラップ１０８ａ、１０８ｂに接近する。
係合フラップ１０８ａ、１０８ｂが、外包部１００の内面の上に膨出しているため、一定量の移動の後、ロック要素１６１ａ、１６１ｂは、係合フラップ１０８ａ、１０８ｂに接触し、係合する。
内包部１５０をさらに移動すると、ロック要素１６１ａ、１６１ｂは、係合フラップ１０８ａ、１０８ｂと係合したまま、係合フラップ１０８ａ、１０８ｂの上面に沿って摺動する。
この段階で、ロック要素１６１ａ、１６１ｂは、内包部１５０の前面１５１ａおよび背面１５１ｂに対して垂直な方向から、わずかに曲がる。
ロック要素１６１ａ、１６１ｂを元の方向から曲げるという要件により、ロック要素１６１ａ、１６１ｂと係合フラップ１０８ａ、１０８ｂとの係合が始まったときに、外包部１００に対する内包部１５０の移動を抑制する効果が得られる。
【００５０】
内包部１５０を外包部１００に対してさらに移動すると、図６Ｃおよび図７Ｂに示す開位置となる。
内包部１５０が開位置になるとき、ロック要素１６１ａ、１６１ｂは、係合フラップ１０８ａ、１０８ｂを越えて移動し、それによって、係合フラップ１０８ａ、１０８ｂから係合解除される。
その結果、ロック要素１６１ａ、１６１ｂは、外包部１００の内面に向かって外側に弾き出される。
このとき、型押し領域１０９ａ、１０９ｂが、ロック要素１６１ａ、１６１ｂを受け止める。
ロック要素１６１ａ、１６１ｂが型押し領域１０９ａ、１０９ｂの表面に当たることで、聞き取り可能なクリック音が発生し、適切な位置に到達したことが利用者に伝えられる。
【００５１】
抑制タブ１５９ａ、１５９ｂが、抑制フラップ１０７ａ、１０７ｂに係合することで、内包部１５０が外包部１００に対して過剰に開くことが防止される。
詳細には、抑制タブ１５９ａ、１５９ｂは、外包部１００の前面１０１ａと抑制フラップ１０７ａとの間、および外包部１００の背面１０１ｂと抑制フラップ１０７ｂとの間でそれぞれ受け止められる。
よって、抑制フラップ１０７ａ、１０７ｂの前縁が抑制タブ１５９ａ、１５９ｂの基部に係合すると、内包部１５０は、外包部１００に対してそれ以上移動できなくなる。
【００５２】
内包部１５０を図６Ｃおよび図７Ｂに示す開位置から閉位置に向けて移動すると、ロック要素１６１ａ、１６１ｂの先端が係合フラップ１０８ａ、１０８ｂと再び係合して、図６Ｄに示すように、ロック要素１６１ａ、１６１ｂが内包部１５０の前面１５１ａおよび背面１５１ｂに対して垂直な方向から曲がる。
よって、閉位置からの移動と同様に、開位置からの移動も、ロック要素１６１ａ、１６１ｂを元の位置から曲げる必要があるため、抑制される。
【００５３】
内包部１５０が閉位置になるとき、ロック要素１６１ａ、１６１ｂは、係合フラップ１０８ａ、１０８ｂを通過し、外側に弾き出されて外包部１００の前面および背面に接触する。
先ほどと同様に、これによって聞き取り可能なクリック音が発生し、動作が完了したこと、またはほぼ完了したことが利用者に伝えられる。
【００５４】
本発明の第２実施形態による包装を図８および図９に示す。
第１の実施形態と同様に、第２実施形態による包装は、内包部２５０と、外包部２００とを含む。
内包部２５０は、外包部２００に対して移動可能であり、詳細には、図９に示された閉位置と、図９に示された開位置との間を回転可能である。
【００５５】
利用者は、外包部２００の開口部２１１を通じて露出している内包部２５０の一部を親指またはその他の指で押すことにより、内包部２５０を回転させることができる。
図９には示されていないが、外包部２００が開位置にあるとき、利用者は、内包部２５０の内部に保持されたシガレットにアクセスすることができる。
【００５６】
外包部２００および内包部２５０は、パックが閉位置または開位置になるときに聞き取り可能な音を発するような態様で、相互に連結されている。
さらに、内包部２５０を開位置および閉位置で維持するための一定の抵抗が提供される。
この態様で、外包部２００が内包部１５０に対して偶発的に移動するのを防ぐことができる。
これらの効果を生み出す機構は、図１０乃至図１４Ｂを参照することで理解することができる。
この機構について、以下に詳細に説明する。
【００５７】
図１０および図１１は、外包部２００を示す。
外包部２００は、図１１に示す厚紙製のブランクを折りたたむことにより形成されている。
図１０は、形成された外包部２００の前面図である。
【００５８】
外包部２００は、外包部２００が形成されたときに相互に対向する前面２０１ａと背面２０１ｂとを含む。
前面２０１ａと背面２０１ｂは、側面２０５によって連結されている。
側面２０５には、開口部２１１が形成されている。
さらに、前方強化フラップ２０６ａおよび後方強化フラップ２０６ｂが、それぞれ開口部２１１の前方および後方に形成されている。
図１０に示されているように、外包部２００を形成するとき、強化フラップ２０６ａおよび２０６ｂが内側に折り曲げられ、外包部２００の前面２０１ａおよび背面２０１ｂの内側に接着される。
【００５９】
外包部２００の上面は、前方上面部２０２ａと、後方上面部２０２ｂと、側方上面部２０２ｃとで形成されている。
外包部２００を形成するときに、後方上面部２０２ｂおよび側方上面図２０２ｃが、前方上面部２０２ａの下側に接着される。
同様に、外包部２００の底面は、前方底面部２０３ａと、後方底面部２０３ｂと、側方底面部２０３ｃとで形成されている。
外包部２００を形成するときに、後方底面部２０３ｂおよび側方底面図２０３ｃが、前方底面部２０３ａの上側に接着される。
【００６０】
底面部２０３ａ、２０３ｂ、２０３ｃで形成される底面は、形成された外包部２００の底面全体を覆うわけではない。
外包部２００は、底面部２０３ｂに折りたたみ可能に連結された連結フラップ２０４をさらに含む。
底面部２０３ｂと異なり、連結フラップは、背面２０１ｂから分離している。
結果として、外包部２００を形成したとき、連結フラップ２０４は、外包部２００のその他の部分に対して回動可能となる。
以下にさらに説明するように、内包部２５０は、連結フラップ２０４に装着される。
【００６１】
外包部２００は、前方抑制フラップ２０７ａと、後方抑制フラップ２０７ｂとをさらに含む。
さらに、前方係合フラップ２０８ａと後方係合フラップ２０８ｂとが、前方抑制フラップ２０７ａおよび後方抑制フラップ２０７ｂから延長する。
【００６２】
外包部２００を形成するときに、前方抑制フラップ２０７ａおよび後方抑制フラップ２０７ｂが内側に折り曲げられ、係合フラップ２０８ａ、２０８ｂが抑制フラップ２０７ａ、２０７ｂの上に折り返される。
これを図１０に示す。
結果として、係合フラップ２０８ａ、２０８ｂは、以下に詳しく説明するように、係合部として機能する隆起プラットフォームを外包部２００の内面に形成する。
【００６３】
係合フラップ２０８ａ、２０８ｂは、図１０に示す位置で抑制フラップ２０７ａ、２０７ｂに接着されるのが好ましい。
同様に、係合フラップの下に位置する抑制フラップ２０７ａ、２０７ｂは、外包部の前面２０１ａおよび背面２０１ｂに接着されるのが好ましい。
ただし、この接着は、抑制フラップ２０７ａ、２０７ｂの全体に及ぶのではなく、係合フラップ２０８ａ、２０８ｂから離れた領域で、前方抑制フラップ２０７ａと前面２０１ａとの間、および後方抑制フラップ２０７ｂと背面２０１ｂとの間に、物が入り込めるようになされるのが好ましい。
【００６４】
さらに、前方抑制フラップ２０７ａおよび後方抑制フラップ２０７ｂは、第１型押し領域２０９ａと第２型押し領域２０９ｂとをそれぞれ備えている。
型押し領域２０９ａ、２０９ｂは、抑制フラップ２０７ａ、２０７ｂに窪みを形成し、係合フラップ２０８ａ、２０８ｂが図１０に示されるように折り返されたときに係合フラップ２０８ａ、２０８ｂの遠端に隣接するように配置されている。
【００６５】
図１２および図１３は、第２実施形態の内包部２５０を示す。
内包部２５０は、図１３に示す厚紙製のブランクを折りたたむことによって形成されている。
図１２は、形成された内包部２５０の前面図である。
【００６６】
内包部２５０は、内包部２５０が形成されたときに相互に対向する前面２５１ａと背面２５１ｂとを有している。
前面２５１ａと背面２５１ｂは、底面２５６によって連結されている。
第１側面は、前方第１側面フラップ２５４ａと後方第１側面フラップ２５４ｂとで形成され、第２側面は、前方第２側面フラップ２５５ａと後方第２側面フラップ２５５ｂとで形成されている。
後方側面フラップ２５４ｂ、２５５ｂが前方側面フラップ２５４ａ、２５５ａの内面に接着されて、内包部１５０の前方側および後方側が形成されている。
【００６７】
底面フラップ２５７は、第１および第２の後方側面フラップ２５４ｂ、２５５ｂに連結されている。
内包部２５０を形成するとき、底面フラップは、底面２５６の上面に接着される。
【００６８】
内包部２５０は、上部が開口している。
前方抑制フラップ２５３ａおよび後方抑制フラップ２５３ｂは、前面２５１ａおよび背面２５３ｂにそれぞれ連結され、内側に折りたたまれる。
【００６９】
内包部２５０は、前方ロック要素２６１ａと後方ロック要素２６１ｂとをさらに含む。
前方ロック要素２６１ａおよび後方ロック要素２６１ｂは、前面２５１ａと第２側面との間の連接部分に位置する切り欠き部２６０ａ、および背面２５１ｂと第２側面との間の連接部分に位置する切り欠き部２６０ｂにそれぞれ設けられている。
内包部１５０を形成するとき、前方ロック要素２６１ａおよび後方ロック要素２６１ｂは、前面２５１ａおよび背面２５１ｂを越えて突出する。
【００７０】
さらに、内包部２５０は、前方抑制タブ２５９ａと、後方抑制タブ２５９ｂとを含む。
前方抑制タブ２５９ａおよび後方抑制タブ２５９ｂは、前面２５１ａの切り欠き部２５８ａおよび背面２５１ｂの切り欠き部２５８ｂにそれぞれ設けられている。
【００７１】
包装の動作は、図８に示す閉位置および図９に示す開位置にあるときの内包部２５０の外包部２００に対する位置を前面図で示した図１４Ａおよび図１４Ｂを参照して理解することができる。
図１４Ａおよび図１４Ｂで、外包部２００の不可視の特徴は、破線で示されており、内包部２５０の不可視の特徴は、点線で示されている。
【００７２】
図１４Ａは、外包部２００に対して閉位置にあるときの内包部２５０を示す。
この位置で、ロック要素２６１ａ、２６１ｂは、係合フラップ２０８ａ、２０８ｂから離れている。
ロック要素２６１ａ、２６１ｂは、内包部２５０の前面２５１ａおよび背面２５１ｂから垂直に外側に突出し、それによって内包部２５０と外包部２００との間の間隙を占める。
【００７３】
利用者が内包部２５０を図１４Ａに示す閉位置から移動すると、ロック要素２６１ａ、２６１ｂが係合フラップ２０８ａ、２０８ｂに接近する。
係合フラップが外包部２００の内面の上に膨出しているため、一定量の移動の後、ロック要素２６１ａ、２６１ｂが係合フラップ２０８ａ、２０８ｂに接触し、係合する。
内包部２５０をさらに移動すると、ロック要素２６１ａ、２６１ｂが、係合フラップ２０８ａ、２０８ｂと係合したまま、係合フラップ２０８ａ、２０８ｂの上面に沿って摺動する。
この段階で、ロック要素２６１ａ、２６１ｂは、内包部２５０の前面２５１ａおよび背面２５１ｂに対して垂直な方向から、わずかに曲がる。
ロック要素２６１ａ、２６１ｂを元の方向から曲げるという要件により、ロック要素２６１ａ、２６１ｂと係合フラップ２０８ａ、２０８ｂとの係合が始まったときに、内包部２５０の外包部２００に対する移動を抑制する効果が得られる。
【００７４】
内包部２５０を外包部２００に対してさらに移動すると、図１４Ｂに示す開位置となる。
内包部２５０が開位置になるとき、ロック要素２６１ａ、２６１ｂは、係合フラップ２０８ａ、２０８ｂを越えて移動し、それによって、係合フラップ２０８ａ、２０８ｂから係合解除される。
その結果、ロック要素２６１ａ、２６１ｂは、外包部２００の内面に向かって外側に弾き出される。
このとき、型押し領域２０９ａ、２０９ｂが、ロック要素２６１ａ、２６１ｂを受け止める。
ロック要素２６１ａ、２６１ｂが型押し領域２０９ａ、２０９ｂの表面に当たることで、聞き取り可能なクリック音が発生し、適切な位置に到達したことが利用者に伝えられる。
【００７５】
前方抑制タブ２５９ａが抑制フラップ２０７ａに係合し、後方抑制タブ２５９ｂが抑制フラップ２０７ｂに係合することで、内包部２５０が外包部２００に対して過剰に開くことが防止される。
詳細には、前方抑制タブ２５９ａは、抑制フラップ２０７ａと外包部２００の前面２０１ａとの間で受け止められ、後方抑制タブ２５９ｂは、抑制フラップ２０７ｂと外包部２００の背面２０１ｂとの間でそれぞれ受け止められる。
結果として、このような抑制タブ２５９ａ、２５９ｂの係合により、内包部２５０が開位置を越えて移動することが防止される。
【００７６】
内包部２５０を図１４Ｂに示す開位置から閉位置に向けて移動すると、ロック要素２６１ａ、２６１ｂが係合フラップ２０８ａ、２０８ｂと再び係合して、ロック要素２６１ａ、２６１ｂが内包部２５０の前面２５１ａおよび背面２５１ｂに対して垂直な方向から曲がる。
よって、閉位置からの移動と同様に、開位置からの移動も、ロック要素２６１ａ、２６１ｂを元の位置から曲げる必要があるため、抑制される。
【００７７】
内包部２５０が閉位置になるとき、ロック要素２６１ａ、２６１ｂは、係合フラップ２０８ａ、２０８ｂを通過し、外側に弾き出されて外包部２００の前面および背面に接触する。
先ほどと同様に、これによって聞き取り可能なクリック音が発生し、動作が完了したこと、またはほぼ完了したことが利用者に伝えられる。
【００７８】
上記の説明は、本発明の２つの特に好ましい実施形態に関連しているが、他の実施形態も可能であることが理解される。 
詳細には、当業者は、包装の特定の特徴の特定の寸法および配置を変更または改良することができる。
具体的には、当業者は、内包部および外包部におけるロック要素および係合部のそれぞれの位置を、本発明の包装の機能的な動作に影響を与えることなく、容易に変更するか、または入れ替えることができる。
他の変更および改良も、当業者にとって明白となる。
そのような変種および変更は、既に知られていて本明細書に記載された特徴の代替または追加で使用できる等価な特徴および他の特徴を含む可能性がある。
個別の実施形態の文脈で説明した特徴を、単一の実施形態でコンビネーションとして提供することもできる。
逆に、単一の実施形態の文脈で説明した特徴を、個別に提供するか、または任意の適切なサブコンビネーションで提供することもできる。
【図１Ａ】
2015533741.tif 000003
【図１Ｂ】
2015533741.tif 000004
【図２Ａ】
2015533741.tif 000005
【図２Ｂ】
2015533741.tif 000006
【図３】
2015533741.tif 000007
【図４Ａ】
2015533741.tif 000008
【図４Ｂ】
2015533741.tif 000009
【図５】
2015533741.tif 000010
【図６Ａ】
2015533741.tif 000011
【図６Ｂ】
2015533741.tif 000012
【図６Ｃ】
2015533741.tif 000013
【図６Ｄ】
2015533741.tif 000014
【図７Ａ】
2015533741.tif 000015
【図７Ｂ】
2015533741.tif 000016
【図８】
2015533741.tif 000017
【図９】
2015533741.tif 000018
【図１０】
2015533741.tif 000019
【図１１】
2015533741.tif 000020
【図１２】
2015533741.tif 000021
【図１３】
2015533741.tif 000022
【図１４Ａ】
2015533741.tif 000023
【図１４Ｂ】
2015533741.tif 000024
【国際調査報告】
2015533741.tif 000025
2015533741.tif 000026
2015533741.tif 000027